(57)【要約】  本発明は、４つの面上に連結部材が設けられ、少なくとも１つの同型の別の要素と積まれ、突き合わされるように設計された第１型要素を備える建築要素一式であって、少なくとも、平面に取り付けられ、かつ、第１型要素を受容するベースを形成するように設計された、１つの第２型要素と、引張した状態で、第１型要素を第２型要素に取り外し可能に連結することが可能なケーブルによって形成される第３型要素であって、ケーブルそれぞれは、第１型の少なくとも１つの要素の少なくとも１つの壁の間で画定される空間内に挿入されることを特徴とする第３型要素と、を備える建築要素一式に関する。
2013511636.tif 000002
【特許請求の範囲】
【請求項１】
４つの面上に連結部材が設けられ、少なくとも１つの同型の別の要素に積まれ、突き合わされるように設計された第１型要素（１、１’、１”、１”’、１””）を備える建築要素一式であって、少なくとも、
−平面に取り付けられ、かつ、前記第１型要素（１、１’）を受容するベースを形成するように設計された、１つの第２型要素（１２、２４、３４）と、
−引張した状態で、前記第１型要素（１、１’、１”、１”’、１””）を前記第２型要素（１２、２４、３４）に取り外し可能に連結することが可能なケーブル（４２）によって形成される第３型要素であって、前記ケーブル（４２）それぞれは、前記第１型の少なくとも１つの要素（１、１’、１”、１”’、１””）の少なくとも１つの壁（４、４０１、４００、５）の間で画定される空間（Ｅｐ、Ｅｐ’）内に挿入されることを特徴とする第３型要素と、
を備えることを特徴とする建築要素一式。
【請求項２】
前記空間が、２つ隣接する要素（１、１’、１”、１”’）のウェブ（４、５）間で画定され、前記ウェブ（４、５）が各要素（１、１’、１”、１”’）の２つの平行する側壁（２、３）を連結することを特徴とする請求項１に記載の建築要素一式。
【請求項３】
前記第２型要素それぞれは、規則的に配置され、それぞれがケーブル（４２）を受容可能な開口（１７、３０）が設けられた面を含むことを特徴とする請求項１に記載の建築要素一式。
【請求項４】
前記ケーブルは、第２型要素（１２、２４、３４）と、前記第１型要素（１、１”、１”’）の柱状体の上端に配置され、前記ケーブル（４２）の保持部材（３８）が設けられた第１型要素（１’）と、の間に位置することを特徴とする請求項３に記載の建築要素一式。
【請求項５】
前記保持部材は、概ねΩ状に構成され、かつ、前記ケーブル（４２）の一端を通過させる穴（４３）が設けられたタブ３８であることを特徴とする請求項４に記載の建築要素一式。
【請求項６】
前記ケーブルそれぞれは、２つの隣接する第１型要素（１、１’、１”、１”’）間に画定さえれた前記空間（Ｅｐ）内に挿入されるプレート（１０）内に形成されたスロット（１１）内に挿入されることを特徴とする請求項４または５に記載の建築要素一式。
【請求項７】
所定第１型要素（１、１’、１”、１”’、１””）は、建造物のコーナーを造るように構成されることを特徴とする請求項１〜６のいずれか一項に記載の建築要素一式。
【請求項８】
所定第１型要素（１”’）は、回転式細板ブラインド用の筐体を形成するように構成されることを特徴とする請求項１〜７のいずれか一項に記載の建築要素一式。
【請求項９】
請求項１〜８のいずれか一項に記載の建築要素一式を使用する方法であって、少なくとも、
−ａ）建てられる前記壁の設計図に従って第２型要素（１２、２４、３４）を組み立てるステップと、
−ｂ）前記第２型要素の上に少なくとも１つの柱状体に第１型要素（１、１’、１”’、１””）を積むステップと、
−ｃ）第３型要素、すなわちケーブル（４２）を、前記柱状体の最上部に位置する前記第１型要素（１”）と前記柱状体のベースを形成する前記第２型要素（１２、２４、３４）との間に配置するステップと、
−ｄ）前記空間（Ｅｐ、Ｅｐ’）に前記ケーブル（４２）を挿入するステップと、
−ｅ）前記第３型要素（４２）を引張した状態にするステップと、
−ｆ）既に積まれた第１型要素に隣接して、別の柱状体として第１型要素（１、１’、１”）を積むステップと、
を備えることを特徴とする方法。
【請求項１０】
請求項１〜９のいずれか一項に記載の建築要素一式から作られる少なくとも１つの壁を備える建造物。
【発明の詳細な説明】
【技術分野】
【０００１】
本発明は、木製壁を構成する要素一式に関する。また、本発明は、該要素を使用する方法にも関する。
【背景技術】
【０００２】
壁は、耐荷重性であっても、そうでなくてもよい、建造物の仕切りまたは障壁を意味する。建築工事中に、コンクリートブロックやレンガなどの建築要素から、内外両側に壁を設置することが既知である。これらの異なる要素の使用は、結合剤の使用を必要とする。比較的重量であることに加えて、レンガやコンクリートブロックを使用することは、基礎を作るのにかなりの土木工事をすることになる。さらに、レンガやコンクリートブロックは最適な断熱係数を有さず、使用される素材の性質は、しばしば、追加的な絶縁材の使用を伴う。
【０００３】
これらの要素の代替物として、木が建築素材として使用される。一般的に、スカンジナビア構造と呼ばれる、特に丸太から造られる構造が知られており、一般的には円形断面を有する円筒状の木製ログが、建造物の壁を形成するように積まれる。これらのログは、例えば、タブを受けるスロットなどの雄雌型連結システムを使用して互いに取り付けられる。このようなログは、ログ間の密封された接合を生むための特別なノウハウを有する、比較的複雑な実施を必要とする。さらに、木製ログを使用することは、ログが完全に乾いた後のログ間の自由な動きに対処することを伴う。
【０００４】
より容易に木製壁を造るために、特許文献１には、四角形の木製レンガが開示されている。その４面には、タブをスロット内に挿入することによってこれらのレンガを積んで突き合わせることを可能にするスロットが設けられる。積まれたレンガは、レンガに形成された穴に補強管を挿入することによって互いに保持される。
【０００５】
特許文献２は、その上および下面が相補的な形状を有することによって積み重ね可能な木製レンガを説明している。突き合わされる２つのレンガに掲載される、横スロットに挿入されるタブが、２つの隣接するレンガの接合を確約する。ケーブルを通すためにレンガに形成された開口が、熱の逃げ道を作り出す。
【先行技術文献】
【特許文献】
【０００６】
【特許文献１】国際公開第２００４／０８８０５７号パンフレット
【特許文献２】加国特許１０８１９１１号明細書
【発明の概要】
【発明が解決しようとする課題】
【０００７】
本発明は、接着剤の使用を必要とせず、熱の逃げ道を作らない、これらの要素を互いに容易に組み立てることを可能にする別のタイプの建築要素を提案する。
【課題を解決するための手段】
【０００８】
これを受けて、本発明は、４つの面上に連結部材が設けられ、少なくとも１つの同型の別の要素に積まれ、突き合わされるように設計された第１型要素を備える建築要素一式であって、少なくとも、
−平面に取り付けられ、かつ、第１型要素を受容するベースを形成するように設計された、１つの第２型要素と、
−引張した状態で、第１型要素を第２型要素に取り外し可能に連結することが可能なケーブルによって形成される第３型要素であって、ケーブルそれぞれは、第１型の少なくとも１つの要素の少なくとも１つの壁の間で画定される空間内に挿入されることを特徴とする第３型要素と、を備える建築要素一式に関する。
【０００９】
これら３つの型の要素とともに、接着剤なしに第１型および第２型要素を引張した状態で積み、連結することによって容易に壁を作り出すことが可能である。
【００１０】
２つの要素間に画定される空間内にケーブルを通すことで、要素に穴を開けること、また、熱の逃げ道の出現を避ける。
【００１１】
本願の有利な、しかし非強制的な態様によると、このような建築要素一式は以下の１つ以上の得著を組み入れることができる：
−空間が、２つ隣接する要素のウェブ間で画定され、前記ウェブが各要素の２つの平行する側壁（２、３）を連結する。
−第２型要素それぞれは、規則的に配置され、それぞれがケーブルを受容可能な開口が設けられた面を含む。
−前記ケーブルは、第２型要素と前記第１型要素の柱状体の上端に配置され、前記ケーブルの保持部材が設けられた第１型要素との間に位置する。
−保持部材は、概ねΩ状に構成され、かつ、前記ケーブルの一端を通過させる穴が設けられたタブである。
−ケーブルそれぞれは、２つの隣接する第１型要素間に画定された空間内に挿入されるプレート内に形成されたスロット内に挿入される。
−所定第１型要素は、建造物のコーナーを造るように構成される。
−所定第１型要素は、回転式細板ブラインド用の筐体を形成する。
【００１２】
また、本発明は、前述の特徴の１つによる、このような建築要素一式を使用する方法に関し、少なくとも下記のステップを備える。
−ａ）建てられる壁の設計図に従って第２型要素を組み立てるステップ。
−ｂ）第２型要素の上に少なくとも１つの柱状体に第１型要素を積むステップ。
−ｃ）第３型要素、すなわちケーブルを柱状体の最上部に位置する第１型要素と柱状体のベースを形成する第２型要素との間に配置するステップ。
−ｄ）空間にケーブルを挿入するステップと、
−ｅ）第３型要素を引張した状態にするステップ。
−ｆ）既に積まれた第１型要素に隣接して、別の柱状体として第１型要素を積むステップ。
【００１３】
また、本発明は、前述の特徴の１つによる要素一式から造られる少なくとも１つの壁を備える建造物に関する。
【００１４】
本発明は、単に例として提供され、添付する図面を参照にした、本発明の複数の実施形態における建築要素一式の下記の説明により、さらに良好に理解され、本発明の他の利点がより明確になるだろう。
【図面の簡単な説明】
【００１５】
【図１】取り付け前の構成における部材とともに示される、本発明の一実施形態における第１型要素の斜視図である。
【図２】要素が取り付けられた状態で示される、図１と同様の図である。
【図３】本発明の一実施形態における、第１、第２、および第３型要素が取る付けられた２つの垂直壁の一部の異なる縮尺における部分斜視図である。
【図４】図３に示すものと同様の壁の上端列の拡大部分図であり、相補的要素は取り付け前の構成の状態である。
【図５】本発明の第２型要素の一実施形態の拡大一般図である。
【図６】本発明の第２型要素の一実施形態の拡大一般図である。
【図７】図６と同じ縮尺の、図６に図示される実施形態と同じ、２つの垂直壁を取り付けるために使用される、第２型要素の一般図である。
【図８】異なる縮尺の、図７に図示される実施形態と同じ、２つの垂直壁を取り付けるために使用される、第１型要素の第１列の部分斜視図である。
【図９】本発明の一実施形態における、回転細長ブラインドの筐体を含む、第１型要素のより小さな縮尺の斜視図である。
【図１０】第１、第２および第３型要素から作られる建造物の異なる縮尺での線図であり、より見易いように、外側および内側壁のみが図示されている。
【図１１】異なる縮尺の、別の実施形態における建造物の角部を形成するために適合した、取り付け位置における、第１型要素の斜視図である。
【発明を実施するための形態】
【００１６】
図１および図２に示される要素１またはレンガ１は、第１型要素であり、通常、稀有四角形の菱面体の形状を有する。または、正方形の菱面体であってもよい。この要素１は、セルロースをベースにした素材、例えば、クラス４のＯＳＢ（oriented stand board）パネル、すなわち、湿潤環境において高いストレス下で機能する接着された合板パネルから有利に作られる。
【００１７】
要素１は、有利には空洞、すなわち、熱および／または音響絶縁材が製造の間、バルクまたはシート内に配置される箱の形状である。今回の場合、ミネラルウールが前記要素１に挿入される。または、セルロースの詰めものまたは別の絶縁材が使用される。別の実施形態では、要素１は固体であり、それ自体が熱および／または音響絶縁である別の素材から作られ得る。
【００１８】
要素１は、長さ、幅、厚みについて所定の寸法を有する。通常、要素１の高さＨ１は、現柱状体の構造では、５ｃｍ間隔で３５ｃｍ〜６５ｃｍから成る。言い換えると、高さＨ１が３５、４０、４５、５０、５５、６０、または６５ｃｍであるレンガが得られる。これらのレンガの長さＬ１は、１０ｃｍ間隔で３０ｃｍ〜６０ｃｍと異なる。
【００１９】
これらの寸法は、適合した高さＨ１および幅Ｌ１を有する要素１を使用することによって異なるサイズの壁を製造することを可能にする。これらの要素１の厚みＥ１は、６０ｍｍ〜６００ｍｍで異なる。異なる寸法Ｈ１、Ｌ１または異なる厚みＥ１でさえ有する要素１が同一の壁を取り付けるために使用され得ることに留意されたい。
【００２０】
壁を取り付けるために、少なくとも、３５ｃｍ、４０ｃｍ、または４５ｃｍのＨ１に、幅Ｌ１が３０ｃｍ、４０ｃｍ、または５０ｃｍである要素が使用されるべきである。
【００２１】
要素またはレンガ１の異なる面は、レンガ１の容積内に挿入される絶縁材が外部に接触しないように、密封状態で連結されている。このことは、壁のいなかなる結露または湿潤現象を制限することを可能にする。
【００２２】
要素１の平行な側面パネルまたは壁２、３は、平行なウェブ４、５によって連結されている。ウェブ４、５は、壁２、３と同一の高さである。ウェブ４、５は、それらの下端４０、５０が側面壁の下端２０、３０から突き出るように図１に関連して位置する。結果として、端４０、５０に反対側のウェブ４、５の上端４１、５１それぞれは、壁２、３の上端２１、３１に対して引っ込んでいる。言い換えると、雄型連結部材２０、３０、４０、５０は、要素１の下面１０上で画定され、同タイプの別の雄型要素２０、３０、４０、５０を受けるように適合された雌型連結要素２１、３１、４１、５１は、その反対側の上面１０１上で画定される。下面１００および上面１０１は、平板１００、１０１によって境界を設定される。
【００２３】
クリート６、７は、各面に位置する。面１０１条に位置するクリートのみ、図１および図２では可視である。各クリート６、７の長さＬＴは、クリート６、７の端６０、６１、７０、７１とウェブ４、５との間で、レンガ１のウェブ４、５の端４０、５０の厚みと同じ幅ＥＴを有する空間を形成するために、壁２、３の長さＬ１より若干小さい。
【００２４】
クリート６、７は、今回の場合、正方形断面を有する。クリート６、７は、壁２、３の面１０１と、端２１、３１との間の空間の幅より若干大きい幅ｌＴを有する側面を有する。これにより、第１の要素１のクリート６、７は、第１の要素１の上に置かれた第２の要素１の面１００と端２０、３０との間に境界を定められた空間に部分的に挿入され得る。言い換えると、クリート６、７は、２つの重ね合わされた要素１の間にあり得る空間ＥＳ内に位置する。この空間には、例えば、ロックウールなどの熱的にかつ／または音的に絶縁する素材から成るプレート（図示せず）が有利に挿入される。
【００２５】
ウェブ４、５は、ウェブ４、５がパネル２、３の垂直端２００、３００から引っ込むように、壁２、３に取り付けられる。最後まで、ウェブ４、５は、パネル２、３の対向する面内に形成される溝２２、３２に挿入される。このようにして、２つの要素１が付き合わされる際、すなわち、それらのウェブ４、５それぞれが互いに向けられた状態で、ウェブ４、５は接触せず、空間ＥＰが２つの隣接する要素１のウェブ４、５の間に形成される。
【００２６】
クリート８、９は、この空間に挿入される。クリート８、９の寸法は、クリート８、９が端２００、３００とウェブ４、５との間に位置するパネル２、３の２つの部分２２、２３にのしかかるようにするものである。これらのクリート８、９は、これにより、要素１が付き合わされるように保持し、案内する。
【００２７】
プレート型要素１０は、空間ＥＰに挿入され、これにより、付き合わされた２つの要素１のウェブ４、５と、クリート８、９との間に画定される。この要素１０は、例えば、ロックウールや木質繊維などの、有利に可撓性である断熱材から有利には作られる。プレート１０には、その全長に亘って正中位に延在する縦スロット１１が設けられる。
【００２８】
または、プレート１０が十分に可撓性の素材作られる際は、スロット１１をそこに設ける必要がない。
【００２９】
クリート６〜９および絶縁プレート１０は、取り外し可能に要素１間に設置される。最後まで、クリート６〜９は、要素１の壁２、３とウェブ４、５とにのしかかる。または、クリート６〜９は、少なくとも１つの要素１に接着される、かつ／または、くぎで固定される。
【００３０】
このようにクリート６〜９が装備され、要素１をスナッピングにより互いに連結することが可能になる。有利には、各要素１が、４つの他の隣接する要素１に、２つの垂直面において連結され得る。通常は、図３に照らして、面は、下に位置する別の隣接する要素１の端２１、３１、４１、５１によって境界が設けられる筐体に挿入される要素１の部材２０、３０、４０、５０間で協働することによって、要素１が互いの上に位置する際に、垂直であるという。
【００３１】
図３に図示されるように、２つの重ねられた要素１の壁２、３は、２つの平行な面Ｐ２、Ｐ３に位置し、これら同一の重ねられた要素１のウェブ４、５もまた、２つの平行な面Ｐ４、Ｐ５に位置する。言い換えると、このように連結された異なる要素１の面２、３および４、５は、揃えられる。この構成において、重ねられた要素１のクリート８、９およびスロット１１もまた揃えられる。
【００３２】
しかしながら、図３に照らして、突き合わせられ、重ねられていない２つの要素１の下面１００または上面１０１は、同一面に位置しない。要素１は、壁が設置される際に付加をより良好に分散するために、互い違い列で付き合わされる。図３に図示されるような壁を造るために、同一の厚みＥ１、同一の幅Ｌ１、しかし異なる高さＨ１を有する要素１が使用される。より大きな負荷復元力とは別に、要素１のこのような構成は、壁の美観を改善することを可能にする。
【００３３】
垂直方向または水平方向のいずれかにおける要素１の組み立ては、平面上に直接されるわけではなく、第２型要素１２、２４、３４上にされる。この要素１２、２４または３４は、重ねられた要素１を受けるためのベースまたはプレートを形成する。実際に、ベース１２、２４、３４は、壁の座部を構成する。図５〜図７は、このようなベースの２つの実施形態を図示する。
【００３４】
図５では、細長い形状および略長方形断面を有するベース１２は、本体１３を備える。この本体１３は、図示しないねじ棒、または、ねじの通過のための開口１４によって、例えば、ねじ止めによってスラブ上または地中に維持される。本体１３は、２つのタイプの開口１５、１７が設けられて平坦上部板（flat upper platen）１６を備える。円形の開口１５は、２つの平行な列に規則的に配置され、平板１６の長手方向の端近傍に分配される。こちらも円形の開口１７は、開口１５より大きな直径を有する。これらの開口は、通常、平板１６の長軸Ｘと相まった方向に整列する。
【００３５】
この平板１６は、フランク１６０、１６１上に載っており、これらの側面１６０、１６１は、それぞれが、平板１６の端に対して突出し、引っ込んでいる。平板１６の一側面１６２は、本体１３に属するウェブまたはフランク１８の自由端上にかかっている。側面１６２に対向する平板１６の側面１６３は、フランク１６０、１６１を越えて延在する。このような構成において、平板１６はカバーを形成する。本体１３は、一側面が開口しており、ユーザーが平板１６の下面にアクセスすること可能にする。
【００３６】
図６は、ベースを形成する要素２４の第２型の別の好適な実施形態を図示する。ベース２４は、通常、Ｕの上下反対またはΩの形状の横断面を有する、平坦で細長い片によって形成される。Ｕの両アームの端は、外側に向けて曲げられ、この場合ではねじである、ねじ部材２７が設けられたタブ２５、２６を形成し、ベース２４を例えばスラブ（図示せず）などの平面上に設置することを可能にする。
【００３７】
ベース２４のアーム２８と底面２９との接合点に、複数の切り欠き３０が形成される。これらの切り欠き３０は、規則的に配置される。各切り欠き３０の底面３１は、スロット３２を通じてし、スロット３２の閉じられた端３３は底面２９の略正中位に位置する。言い換えると、スロット３２の端３３は、ベース２４の長軸Ｘ２４に沿って整列される。    
【００３８】
支持体１２、２４のこれら２つのタイプの用途は、下記で説明される。第１のタイプの要素は、これらの要素が取り付けられる支持体１２、２４の機能として適合することに留意されたい。
【００３９】
図７は、第２のタイプの要素の第２の実施形態の変形として、別の要素３４を図示し、互いに垂直に取り付けられる壁のベースを形成することを可能にしている。ベース３４のこの要素は、ベース２４と同様に、通常、Ｕの上下反対またはΩの形状の横切断面を有する四角形状の平坦片を備える。この片の折り曲げられた端によって形成されるタブ３５は、ベース３４をタブ２５に形成される孔３５０内に挿入される部材（図示せず）を使用して所定面上に取り付けることを可能にする。
【００４０】
Ｕ形状の底面３６には、ベース２４上に形成された切り欠きと同様に、スロット３２’によって延在する切り欠き３０’が設けられる。スロット３２’の閉じられた端は、ベース３４の各枝部の正中位に整列される。言い換えると、ベース３４は、ベース２４に類似した要素であるが、四角形に構成される。直角で壁を取り付けるためのベース３４の枝部を有する１つ以上のベース２４を整列することが可能である。
【００４１】
基部を形成する、第１型要素の第２型要素１２、２４または３４上への取り付けについて今から説明する。
【００４２】
壁を取り付けるために、必要な数のベース１２、２４または３４が、付き合わされる。ベース１２、２４、３４は、恒久的に、または、有利には取り外し可能にスラブまたは地上に取り付けられる。全ての場合において、これらのベース１２、２４、３４の上面１６、２９、３６が、それぞれ同一平面であることが確認されるべきである。取り付けられる壁の第１列を形成する要素１は、前記上面１６、２９、３６上に位置する。
要素１の寸法および数は、作られる壁の寸法に適合する。
【００４３】
そのために、建造物の設計図から、先ず、壁の取付けを最適することを可能するレイアウトがなされる。レイアウトは、所定壁を造るために必要な最小数の要素１の場所および位置を確定することからなる。ベース１２、２４、および３４上への要素１の位置合わせは、ベース２４または３４を作り上げるＵの枝部２８の外面に対して支持する、壁の２および３の端２０および３０によってなされる。結果的にベース１２が使用され、ピン（図示せず）が、穴１５内と、パネル２、３の端２０、３０に相補形状で形成される穴内に挿入される。
【００４４】
まず、例として要素１の列がベース１２、２４または３４上に作られ、クリート８および９、ならびに絶縁プレート１０が、付き合わされた２つの要素１の間に挿入される。
要素１の寸法および位置は、プレート１０のスロット１１が、開口１７またはベース１２、２４または３４の切り欠き３０、３０’と揃えられるように構成される。
【００４５】
コーナーを作るために、図８に示す要素１’が使用される。この要素１’は、正方形の横断面を有する。要素１’は、それぞれがクリート８および９を受容し、要素１０を絶縁することができる２つの垂直面を有する。
【００４６】
図１１は、コーナーを形成するための要素１””の別の実施形態を図示する。言い換えると、ウェブ４００で空間Ｅｐ’を区切っているウェブ４０１は、別の要素１””ではなく、同じ要素上に取り付けられる。これにより、要素１””の端に、ケーブル４２を通すことができる空間Ｅｐ’が形成される。図示されないある代替案では、可塑性プレート形状の絶縁材が、その空間Ｅｐ’内に挿入され得る。
【００４７】
これらの要素１””を、コンクリートブロックのように、互い違いの列に配置することによって、積まれた要素１””の空間Ｅｐ’は垂直に揃えられる。異なる長さの要素１が壁の設置を完成するために使用される。
【００４８】
図３に図示されるように、所望の数の要素１、１’が、所定の壁の高さに到達するように互いにと取り付けられる。前述のように、取り付けは、垂直寸法において互い違いの列においてなされる。
【００４９】
壁の上部分において、壁の取り付けを完了するために、端要素１”と呼ばれるものが使用される。要素１”は、要素１、１’のように、すなわち、クリート８および９と、２つの要素１”の間に絶縁プレート１０とを挿入することによって付き合わされる。図４に示す、これらの要素１”は、要素１の端２１、３１の高さより高く面１０１’の上に延在するパネル２’および３’の端２１’、３１’を有する。よって、空間Ｅ３７は、端２１’３１’と面１０１’との間で区切られる。長い長さと、先に使用されたクリート６〜９の寸法より大きな横寸法とを有する、クリート３７のこれらの付き合わされた要素１”は、これらの要素１”の上面１０１’上に配置される。
【００５０】
付き合わされた２つの要素１”間の接合ゾーン、すなわち、各プレート１０の端上に、有利には金属で作られ、一般的にΩ状に構成されたタブ３８が配置される。各タブ３８の外側に向けて屈曲された端３９はクリート３７上に位置する。各タブ３８の底４０には、開口４１が設けられ、開口の位置および寸法は、タブ３８が適所にある際にスロット１１をかぶさるように適合される。
【００５１】
図３に示すように、引張部材、この場合ケーブル４２が、切り欠き３０からスロット３２の底３３に、ベース２４内に挿入される。
２つの隣接する切り欠き３０間の距離は、切り欠き３０が、異なる幅Ｌ１が与えられる積まれた要素１、１’、１”のスロット１１と常に揃うように適合する。
【００５２】
よって、ケーブル４２は、引張された状態で積まれた要素１、１’、１”を取り外し可能に固定することを可能にする第３型要素を形成する。
【００５３】
ケーブルは、隣接する柱状体を配置する前の、要素１、１’、１”、１””の柱状体が取り付けられる際に所定場所に配置される。図３に照らして、ケーブル４２の下端４２０は、頭部で終端し（図示せず）、この頭部が開放されることなしに、スロット３２内のケーブル４２の端４２０を封じ込めることを項にする。ケーブル４２の上端４２１は、有利に通されている。上端４２１は、タブ３８の開口４１に挿入され、ボルト４３を用いて、ケーブル４２の引張を保つように固定される。引張は、事前に決められ、ボルト４３は、ダイナモメトリック・キー（dynamometric key）を使用して有利に締められる。こうすると、各ケーブル４２が引張された際に、積まれた要素１、１’、１”、１””の柱状体は、タブ３８とベース１２、２４または３４との間に保持される。これにより、積まれた要素１、１’、１”、１””の柱状体は維持され、垂直面における要素１、１’、１”、１””間の連結が補強される。隣接する要素１、１’、１”、１””の柱状体間の連結は、クリート３７によって、かつクリート８、９によってなされる。また、隣接する要素１、１’、１”、１””の柱状体間の連結は、要素１、１’、１”、１””に釘、接着、または、ねじによってなされ得る。
【００５４】
このように壁が作られた際、すなわち、引張された複数の要素１、１’、１”、１””の柱状体が互いに固定された際、仕上げ要素、この場合、図４に示すボードまたはカバー４４が、要素１”の面１０１’上に配置され、要素１、１’、１”を隔離しながら壁を仕上げることができ、このように連結される。
【００５５】
要素１、１’、１”、１””は、図５に示すベース１２が使用される場合、上述と同様に設置される。その場合、ケーブル４２の端頭部は、ベース１２の開口部分を通して平板１６の下に挿入される。ケーブル４２は、穴１７に挿入される。ケーブル４２が所定位置にある際に、ケーブル４２を固定することを可能にする頭部は、開口１７の寸法に適合する寸法を有する。
【００５６】
例えば、窓または出窓に回転式薄板ブラインドを組み入れたい場合、図９に示すように要素１””が使用される。２つのパネル２””と３””との間の上部、かつ、フランク４”’および５”’の上方に、回転式薄板ブラインド（図示せず）が挿入される。実際に、この要素１”’は、面１０１”’と、パネル２”’、３”’およびフランク４”’、５”’の端との間の空間ＥＶが回転式薄板ブラインドのサイズに適合する、第１型要素である。必要であれば、面１０１”’が除去され、すると、要素１”’が上方に向けて開口する。それ以外は、要素１”’は第１型要素１、１’または１”と同等である。
【００５７】
図１０に示すように、異なるレンガ１、１’、１”、１”’、１””が、外壁と同数の建造物の内壁を設置することを可能にする。
【００５８】
また、展示ブースのような一時的な壁を設置することが可能である。また、これらの要素１、１’、１”、１”’、１””は、既存の壁を、恒久的に、または分解され得るように覆うことも可能である。このように、軽量かつ断熱する要素、つまり木製レンガを用いて、異なる高さの壁が作られ得る。
【００５９】
一時的または非耐荷重性壁が設置される際、より小さな数の第３型要素、すなわち、引張ケーブルが使用され得、または、ある特定の場合では、必要であれば配置されるだけもよい。図示しないある実施形態では、断熱プレート１０およびクリート８、９が、要素が、垂直および水平の両方向において既成されることを可能にする。言い換えると、絶縁プレート挟む２つの木製プレートか成る、サンドイッチ型片が使用され、互いにレンガを連結する。
【００６０】
使用されるレンガ１、１’、１”、１”’、１””の寸法は、標準サイズのレンガまたはコンクリートブロックから作られる壁と同様の壁を設置することを可能にする。言い換えると、コンクリートブロックで造られる建造物の建築設計図は、このような建造物の要素１、１’、１”、１”’、１””が使用される際に変更されない。
【００６１】
引張部材４２は、要素１、１’、１”、１”’、１””の積み重ねを強固にするだけでなく、迅速な設置および配置とともに、取り外し可能な要素間の密封された連結を実現することを可能にする。
【００６２】
積まれた要素１、１’、１”、１”’、１””は、壁紙や上塗りなどの装飾材で容易に覆うことができる。また、これらの要素は、ペンキ塗装や、隆起した装飾要素を含むことも可能である。
【００６３】
このような壁は、複数の床を有する建造物を造るために使用され得ることから、壁の上端上に、伝統的またはトラス型のフレームの設置を実現すること、または、床を提供することも可能である。
【００６４】
図示しないある変更例では、フレームの要素は、ケーブル４２を受容するように構成される。そのためには、床４４は、前記フレーム要素によって置き換えられるか、或いはフレーム要素を受容するように構成される。このようにすると、屋根の要素は建造物の壁に固定され、暴風に耐える建造物の性能を向上させることを可能にする。
【００６５】
例として、長さ２．５ｍ、高さ３ｍの壁の設置は、一人で１時間以内にできる。また、このように造られた建造物は、例えば、金属フレーム構造など、それ自体が耐力である構造内に挿入され得る。
【００６６】
２つの隣接する柱状体間の要素１、１’、１”、１”’、１””の高さ移行は、防音および／または断熱を妨害するかもしれない、建造物の内側外側間の熱の逃げ道を防ぐ。または、建造物が造られてから、ロックウールまたはセルロースの詰め物などの当業者には既知の材料で、壁一面で絶縁を完成することが可能である。
【符号の説明】
【００６７】
１、１’、１”、１”’、１””  第１型要素、木製レンガ
２、３  側壁、パネル
４、５、４００、４０１  ウェブ、壁
６、７  クリート
１０  プレート
１１  スロット
１２、２４、３４  第２型要素、ベース
１７、３０  開口
３８  保持部材、タブ
４２  第３型要素、ケーブル
Ｅｐ、Ｅｐ’  空間
【図１】
2013511636.tif 000003
【図２】
2013511636.tif 000004
【図３】
2013511636.tif 000005
【図４】
2013511636.tif 000006
【図５】
2013511636.tif 000007
【図６】
2013511636.tif 000008
【図７】
2013511636.tif 000009
【図８】
2013511636.tif 000010
【図９】
2013511636.tif 000011
【図１０】
2013511636.tif 000012
【図１１】
2013511636.tif 000013
【国際調査報告】
2013511636.tif 000014
2013511636.tif 000015
2013511636.tif 000016
2013511636.tif 000017